(57)【特許請求の範囲】
【請求項１】
画像形成装置内の電気機器ユニットに高圧基板を接続するために、画像形成装置本体に高圧基板を取り付ける構造において、
前記高圧基板を電気機器ユニットに電気接続する接点端子と、
前記高圧基板の電気部品実装面を覆うようにして、前記接点端子を前記高圧基板に接触させた状態で前記高圧基板及び接点端子を保持した基板取付部材とが備えられ、
前記高圧基板の電気部品実装面を電気機器ユニット側に向けた状態で前記基板取付部材が画像形成装置本体に取り付けられ、前記接点端子が前記基板取付部材を貫通して電気機器ユニットに電気接続され、
前記基板取付部材に設けられたアース保持部にアース部材が保持され、前記基板取付部材に前記高圧基板が保持された状態で前記アース部材と前記高圧基板とが接触し、前記基板取付部材から前記アース部材が露出する構成とされている高圧基板の取付構造。
【請求項２】
前記基板取付部材には、前記接点端子の動きを案内する所定長さ形状の接点端子案内部が設けられ、この接点端子案内部には、前記接点端子を前記高圧基板と反対方向に付勢する付勢部材が前記接点端子と共に取り付けられている請求項１に記載の高圧基板の取付構造。
【請求項３】
前記基板取付部材には、前記高圧基板に設けられた位置決め穴に対応する係合部が設けられており、当該係合部に前記高圧基板の位置決め穴が係合されることによって、前記基板取付部材に対して前記高圧基板が位置決めされている請求項１又は請求項２に記載の高圧基板の取付構造。
【請求項４】
画像形成装置内の電気機器ユニットに高圧基板を接続するために、画像形成装置本体に高圧基板を取り付ける高圧基板取付ユニットであって、
前記高圧基板を電気機器ユニットに電気接続する接点端子と、
前記高圧基板の電気部品実装面を覆うようにして、前記接点端子を前記高圧基板に接触させた状態で前記高圧基板及び接点端子を保持する基板取付部材とを備え、
前記高圧基板の電気部品実装面を電気機器ユニット側に向けた状態で前記基板取付部材が画像形成装置本体に取り付けられ、前記接点端子が前記基板取付部材を貫通して電気機器ユニットに電気接続され、
前記基板取付部材に設けられたアース保持部にアース部材が保持され、前記基板取付部材に前記高圧基板が保持された状態で前記アース部材と前記高圧基板とが接触し、前記基板取付部材から前記アース部材が露出する構成とされている高圧基板取付ユニット。
【請求項５】
電気機器ユニットと、
該電気機器ユニットに高電圧を印加するための高圧基板と、
これら電気機器ユニットと高圧基板との間に介在し、両者を電気的に接続する棒状の接点端子と、
前記高圧基板の実装面を覆うと共に、接点端子をその長手方向に案内する案内部を有する基板取付部材とを備え、
前記接点端子が前記案内部の案内によって前記基板取付部材及び画像形成装置本体を貫通して前記電気機器ユニットに接触するようにして、前記基板取付部材が画像形成装置本体に取り付けられ、
前記基板取付部材に設けられたアース保持部にアース部材が保持され、前記基板取付部材に前記高圧基板が保持された状態で前記アース部材と前記高圧基板とが接触し、前記基板取付部材から前記アース部材が露出する構成とされている画像形成装置。
【請求項６】
電気機器ユニット及び基板取付部材に弾接するよう接点端子を付勢する付勢手段を備えた請求項５に記載の画像形成装置。
【発明の詳細な説明】
【０００１】
【発明の属する技術分野】
本発明は、画像形成装置内の電気機器ユニットに高圧基板を接続するために、画像形成装置本体に高圧基板を取り付ける構造、高圧基板取付ユニット及び画像形成装置に関する。
【０００２】
【従来の技術】
画像形成装置においては、感光体ドラム表面を帯電させる帯電ユニット、感光体ドラム表面にトナーを供給する現像ユニット、感光体ドラム表面上に形成されたトナー画像を用紙に転写させる転写ユニット、感光体ドラムから用紙を離脱させる分離ユニットなどの高電圧を必要とする電気機器ユニットに高電圧を印加するために高圧基板が備えられている。この高圧基板は、高圧基板が発生する電磁波による上記電気機器ユニットへの悪影響を回避するために電気機器ユニットから離れた位置に配置され、電気機器ユニットの接点端子と高圧基板とが電線で接続されることで電圧が供給される構成とされている。
【０００３】
【発明が解決しようとする課題】
しかしながら、上記のように高圧基板が電気機器ユニットから離れた位置に配置され、電気機器ユニットと高圧基板とが電線で接続される構成の場合、電気機器ユニット又は高圧基板に電線を接続する際のコネクタ挿入不良や、端子の締め付け不良等によって導通不良が発生することがある。また、上記高圧基板及び電線が発生する電磁波から周辺機器を保護するために、この両者をシールドして電磁波による周辺機器への悪影響を排除しなければならないので、部材点数が多くなり、組立性が悪く、製造コストも高いという問題があった。
【０００４】
本発明は、上述した問題点を解決するためになされたものであり、導通不良が低減され、しかも少ない部材点数で電子機器ユニットに高圧基板から高電圧を供給することができる高圧基板の取付構造、高圧基板取付ユニット及び画像形成装置を提供することを目的とする。
【０００５】
【課題を解決するための手段】
上記目的を達成するために請求項１に記載の発明は、画像形成装置内の電気機器ユニットに高圧基板を接続するために、画像形成装置本体に高圧基板を取り付ける構造において、
前記高圧基板を電気機器ユニットに電気接続する接点端子と、
前記高圧基板の電気部品実装面を覆うようにして、前記接点端子を前記高圧基板に接触させた状態で前記高圧基板及び接点端子を保持した基板取付部材とが備えられ、
前記高圧基板の電気部品実装面を電気機器ユニット側に向けた状態で前記基板取付部材が画像形成装置本体に取り付けられ、前記接点端子が前記基板取付部材を貫通して電気機器ユニットに電気接続され、
前記基板取付部材に設けられたアース保持部にアース部材が保持され、前記基板取付部材に前記高圧基板が保持された状態で前記アース部材と前記高圧基板とが接触し、前記基板取付部材から前記アース部材が露出する構成とされているものである。
【０００６】
また、請求項４に記載の発明は、画像形成装置内の電気機器ユニットに高圧基板を接続するために、画像形成装置本体に高圧基板を取り付ける高圧基板取付ユニットであって、
前記高圧基板を電気機器ユニットに電気接続する接点端子と、
前記高圧基板の電気部品実装面を覆うようにして、前記接点端子を前記高圧基板に接触させた状態で前記高圧基板及び接点端子を保持する基板取付部材とを備え、
前記高圧基板の電気部品実装面を電気機器ユニット側に向けた状態で前記基板取付部材が画像形成装置本体に取り付けられ、前記接点端子が前記基板取付部材を貫通して電気機器ユニットに電気接続され、
前記基板取付部材に設けられたアース保持部にアース部材が保持され、前記基板取付部材に前記高圧基板が保持された状態で前記アース部材と前記高圧基板とが接触し、前記基板取付部材から前記アース部材が露出する構成とされているものである。
【０００７】
また、請求項５に記載の発明は、電気機器ユニットと、
該電気機器ユニットに高電圧を印加するための高圧基板と、
これら電気機器ユニットと高圧基板との間に介在し、両者を電気的に接続する棒状の接点端子と、
前記高圧基板の実装面を覆うと共に、接点端子をその長手方向に案内する案内部を有する基板取付部材とを備え、
前記接点端子が前記案内部の案内によって前記基板取付部材及び画像形成装置本体を貫通して前記電気機器ユニットに接触するようにして、前記基板取付部材が画像形成装置本体に取り付けられ、
前記基板取付部材に設けられたアース保持部にアース部材が保持され、前記基板取付部材に前記高圧基板が保持された状態で前記アース部材と前記高圧基板とが接触し、前記基板取付部材から前記アース部材が露出する構成とされている画像形成装置である。
【０００８】
これらの発明によれば、高圧基板と電気機器ユニットとが接点端子によって直接電気接続されているので、高圧基板と電気機器ユニットの間における導通不良発生が低減される。また、高圧基板及び接点端子は基板取付部材によって覆われた状態で画像形成装置本体に取り付けられ、電気機器ユニットに電気接続されるので、高圧基板が発生する電磁波による周辺機器への悪影響が低減される。このため、基板取付部材に保持された高圧基板を電気機器ユニットに隣接させて配置することが可能になるので、高圧基板から電気機器ユニットに高電圧を供給する構成を小さなスペースで実現することができ、さらには、電線を用いなくても接点端子によって高圧基板と電気機器ユニットとを直接電気接続することができるので、電気機器ユニットに高圧基板を接続するために要する部材点数を削減することができると共に、従来のように電線から発生する電磁波によって周辺機器に悪影響が及ぼされるという問題もなくなる。また、高圧基板と電気機器ユニットとの間には、基板取付部材及び画像形成装置本体の両方が介在することから、高圧基板が発生する電磁波による電気機器ユニットへの悪影響が効果的に低減される。
【０００９】
これらの発明によれば、基板取付部材から露出したアース部材を画像形成装置本体に設けられているアース線等に接続するようにすれば、高圧基板を画像形成装置本体に取り付けた状態でも簡単に高圧基板を接地させることができる。
【００１０】
また、請求項２に記載の発明は、請求項１に記載の高圧基板の取付構造であって、前記基板取付部材には、前記接点端子の動きを案内する所定長さ形状の接点端子案内部が設けられ、この接点端子案内部には、前記接点端子を前記高圧基板と反対方向に付勢する付勢部材が前記接点端子と共に取り付けられていることを特徴とするものである。
【００１１】
この構成によれば、付勢部材によって接点端子が高圧基板とは反対方向に付勢され、接点端子の動きが接点端子案内部によって案内されるので、接触圧を持たせた状態で接点端子を電気機器ユニットに接続させることができ、電気機器ユニットと接点端子の接続状態を安定させることができる。また、基板取付部材の接点端子案内部に接点端子が取り付けられるため、高圧基板と接点端子とを精度良く位置決めすることが可能になり、高圧基板と接点端子との接触不良による導通不良を低減することができる。
【００１２】
また、請求項３に記載の発明は、請求項１又は請求項２に記載の高圧基板の取付構造であって、前記基板取付部材には、前記高圧基板に設けられた位置決め穴に対応する係合部が設けられており、当該係合部に前記高圧基板の位置決め穴が係合されることによって、前記基板取付部材に対して前記高圧基板が位置決めされているものである。
【００１３】
この発明によれば、基板取付部材の係合部と高圧基板の位置決め穴とが係合することによって高圧基板が基板取付部材に位置決めされるので、高圧基板と基板取付部材との位置決めを簡単に行うことができる。
【００１４】
また、請求項６に記載の発明は、請求項５に記載の画像形成装置であって、電気機器ユニット及び基板取付部材に弾接するよう接点端子を付勢する付勢手段を備えたものである。
【００１５】
この発明によれば、接触圧を持たせた状態で接点端子を電気機器ユニットに接続させることができるので、電気機器ユニットと接点端子の接続状態を安定させることができる。
【００１６】
【発明の実施の形態】
以下、本発明の一実施形態に係る高圧基板の取付構造及び高圧基板取付ユニットについて図面を参照して説明する。図１は本発明に係る高圧基板の取付構造及び高圧基板取付ユニットが適用される画像形成装置の概略構成を示す模式図である。図１に示すように、本発明に係る画像形成装置の一例である複写機１では、複写機本体２内において、帯電装置３により図中のＡ方向に回転する感光体ドラム４が一様に帯電され、原稿読取装置５で読み取られた原稿画像に基づく露光装置６からのレーザビームにより感光体ドラム４上に静電潜像が形成され、現像装置７により静電潜像にトナーが付着してトナー像が形成される。この現像装置７へのトナーの供給は、トナーコンテナ８から行われる。
【００１７】
上記のようにトナー像が形成された感光体ドラム４に向けて、給紙機構９から用紙が用紙搬送路１０を経由して搬送され、転写ローラ１１により感光体ドラム４表面のトナー像が用紙に転写される。そして、トナー像が転写された用紙は感光体ドラム４から分離され、定着ローラ対を有する定着装置１２に搬送されてトナー像が定着される。定着装置１２を通過した用紙は、複数方向に分岐した用紙搬送路１３に送られて、用紙搬送路１３の分岐点で分岐部材によって搬送方向が振り分けられ、そのまま（或いは、用紙搬送路１７に送られて両面コピーされた後に）、上シートトレイ１０２ａ、下シートトレイ１０２ｂ又はシートトレイ１０３の用紙排出部から排出される。
【００１８】
上記帯電装置３、現像装置７、転写ローラ１１、或いは感光体ドラム４から用紙を離脱させる分離装置（図外）等の高電圧が必要な電気機器ユニットには、高電圧を印加するために高圧基板が電気接続されている。本発明に係る高圧基板の取付構造及び高圧基板取付ユニットは、このような電気機器ユニットと高圧基板との電気接続のために適用されるものである。
【００１９】
なお、１６はクリーニング部であり、感光体ドラム４上の残留トナー等を除去するものである。また、給紙機構９は、複写機本体２に着脱自在に取り付けられ、用紙を収納する給紙カセット９１，９２と、その上方に設けられるスタックバイパス（バイパストレイ）９３とを備えてなっており、これらは用紙搬送路１０によって感光体ドラム４及び現像装置７からなる画像形成部に繋がっている。
【００２０】
次に、高圧基板の取付構造及び高圧基板取付ユニットについて説明する。図２及び図３は高圧基板取付ユニットの分解斜視図、図４は高圧基板取付ユニットの斜視図である。高圧基板取付ユニット２０は、複写機１内の高電圧が必要な電子機器ユニットに電圧を供給する高圧基板２１と、高圧基板２１を電気機器ユニットに電気接続する接点端子２２と、高圧基板２１の電気部品実装面を覆った状態で高圧基板２１を保持して、複写機本体２に高圧基板２１を取り付ける基板取付部材２３とを有する。この基板取付部材２３は、合成樹脂等の絶縁材料からなり、接点端子２２を高圧基板２１に接触させた状態に維持して高圧基板２１及び接点端子２２を保持するようになっている。
【００２１】
高圧基板２１には、接点端子２２と接触して電気接続する接点２１１と、基板取付部材２３に対する高圧基板２１の位置決めに使用される位置決め穴２１２と、後述するアース部材を挟んで基板取付部材２３に高圧基板２１をビス止めするためのビス穴２１３とが設けられている。また、高圧基板２１には、高圧基板２１を電源（図外）と接続するためのコネクタ２１５が設けられている。なお、上記接点２１１が設けられる位置は、電気機器ユニット側の接点位置を考慮して適宜に設定される。
【００２２】
基板取付部材２３には、接点端子２２が取り付けられる接点端子案内部２３１が設けられている。接点端子案内部２３１は、基板取付部材２３から突出させた形状とされ、その内部の中空部に接点端子２２が挿入されるようになっている。接点端子案内部２３１は、接点端子２２が取り付けられたとき、その長さ方向に移動可能となるように所定長さ形状（すなわち、接点端子２２の長さと、予定した接点端子２２の移動量を確保するために十分な長さとを有するように考慮された形状）とされ、この接点端子案内部２３１によって接点端子２２の動きが案内されるようになっている。
【００２３】
接点端子案内部２３１には、高圧基板２１側とは反対方向に接点端子２２を付勢する押しバネ（付勢部材）２４が取り付けられる。押しバネ２４は、接点端子２２の高圧基板２１側の端部に取り付けられ、その状態で接点端子２２と共に接点端子案内部２３１に組み付けられる。接点端子２２には、押しバネ２４に係合する突出部２２１が設けられており、押しバネ２４は当該突出部２２１に係合された状態として接点端子案内部２３１に組み付けられることによって、突出部２２１と高圧基板２１との間で弾力を発生し、接点端子２２を高圧基板２１側とは反対側、すなわち、電気機器ユニット側に付勢するようになっている。これにより、接点端子２２を電気機器ユニットに接触圧を持たせた状態で接続させることができ、電気機器ユニットと接点端子２２の接続状態を安定させることができる。
【００２４】
また、基板取付部材２３には、高圧基板２１の位置決め穴２１２に係合する位置決めボス（係合部）２３２が設けられている。当該位置決めボス２３２が設けられる位置は、当該位置決めボス２３２を位置決め穴２１２に嵌め入れて係合させたときに、接点端子案内部２３１、接点端子２２、及び高圧基板２１の接点２１１の各位置が一致するように設定されている。
【００２５】
また、基板取付部材２３には、高圧基板２１の側縁部に係合して高圧基板２１を保持する基板保持部２３３が設けられている。この基板保持部２３３と高圧基板２１の側縁部との係合によって、高圧基板２１が基板取付部材２３に固定される。上記位置決めボス２３２は、位置決め穴２１２に嵌入されたときに、高圧基板２１の側縁部の位置と、基板保持部２３３の位置とが一致するようにも設定されている。従って、位置決め穴２１２と位置決めボス２３２とが係合することによって、基板取付部材２３に対する高圧基板２１の位置決め、及び接点端子案内部２３１に取り付けられた状態の接点端子２２に対する高圧基板２１の接点２１１の位置決め、の両方がされるようになっている。
【００２６】
さらに、基板取付部材２３には、アース部材２５を保持するアース保持部２３５が設けられている。このアース保持部２３５は、基板取付部材２３に高圧基板２１を取り付けたときに、アース部材２５と高圧基板２１とが接触して導通した状態で、アース部材２５を保持するようになっている。基板取付部材２３と高圧基板２１との間にアース部材２５を挟んだ状態で、高圧基板２１のビス穴２１３からビスを嵌入することによって、基板取付部材２３、アース部材２５、及び高圧基板２１の３者が締め付けられた状態で保持される。
【００２７】
このようにしてアース部材２５を高圧基板２１及び基板取付部材２３に固定したとき、アース部材２５の一部が基板取付部材２３及び高圧基板２１から露出する構成になっている。この基板取付部材２３から露出したアース部材２５を、複写機本体２に設けられたアース線（図外）に接続するようにすれば、高圧基板２１を複写機本体２に取り付けた状態でも簡単に高圧基板２１を接地させる構成をとることができる。
【００２８】
高圧基板取付ユニット２０の組立について説明する。まず、基板取付部材２３の接点端子案内部２３１の内部に、押しバネ２４が端部に取り付けられた状態の接点端子２２を組み入れる。次に、基板取付部材２３のアース保持部２３５にアース部材２５をあてがうようにして取り付ける。この状態の基板取付部材２３に対して、その位置決めボス２３２に高圧基板２１の位置決め穴２１２を嵌入させて高圧基板２１を取り付け、基板保持部２３３に高圧基板２１の側縁部を係合させて高圧基板２１を基板取付部材２３に固定する。
【００２９】
このように高圧基板２１が基板取付部材２３に保持されているとき、接点端子２２は高圧基板２１の接点２１１に接触して導通する。高圧基板２１が基板取付部材２３に保持された状態では、図４に示すように、接点端子２２の端部２２ａが接点端子案内部２３１から突出するようになっている。この接点端子案内部２３１から突出した接点端子２２の端部２２ａが、電気機器ユニットの接点と接続することにより、高圧基板２１と電気機器ユニットとが電気接続されるようになっている。
【００３０】
次に、高圧基板取付ユニット２０の複写機本体２への取り付けについて説明する。上記のようにして組み立てられた高圧基板取付ユニット２０は、高圧基板２１の電気部品実装面を電気機器ユニット側に向けた状態として、基板取付部材２３の側面部２３ａが複写機本体２に取り付けられる。基板取付部材２３が複写機本体２に取り付けられた状態では、接点端子２２が接点端子案内部２３１を通って基板取付部材２３を貫通し、接点端子案内部２３１から露出した接点端子２２の端部２２ａが電気機器ユニットの接点に接続するようになっている。従って、高圧基板取付ユニット２０を複写機本体２に取り付けることによって、同時に接点端子２２と電気機器ユニットの接点とが接続する。このとき、基板取付部材２３の側面部２３ａは、複写機本体２（筐体）に当接されているため、高圧基板２１と電気機器ユニットの間には、基板取付部材２３及び複写機本体２の両方が介在している。よって、基板取付部材２３及び複写機本体２の両方が、高圧基板２１から発生される電磁波を遮断する機能を果たす。
【００３１】
更に、図５，６を参照して、高圧基板取付ユニットの複写機１への取り付けを詳細に説明する。
【００３２】
図５は、高圧基板取付ユニット２０と電気機器ユニットとの関係を示すもので、図示の便宜のため省略しているが、実際には、図６に示すように、高圧基板取付ユニット２０と電気機器ユニットとの間に、複写機１の取付枠２ａ（複写機１の本体の一部）が介在している。
【００３３】
図５において、高圧基板取付ユニット２０は、複写機１内の電気機器ユニットの例としての、感光ドラムユニット４０及び現像装置７と組み合わされている。又、前述の帯電装置３は、感光ドラムユニット４０に内蔵されている。接点端子２２は、基板取付部材の案内部材２３１を貫通して感光ドラムユニット４０の端面に当接し、端面上の対応する接点に接触し、電気的に接続される。
【００３４】
図６において、高圧基板取付ユニット２０は、高圧基板２１の実装面２３ａが基板取付部材２３によって覆われた状態で複写機１の本体２の取付枠２ａに取り付けられる。取付枠２ａには、高圧基板取付ユニット２０とは反対側から、感光ドラムユニット４０及び現像装置７が取り付けられている。
【００３５】
高圧基板取付ユニット２０が、複写機本体２の取付枠２ａに取り付けられると、案内部材２３１が取付枠２ａを貫通する。その結果、案内部材２３１に挿入されている接点端子２２が基板取付部材２３及び取付枠２ａを貫通し、案内部材２３１の先端から突出している接点端子２２の先端と感光ドラムユニット４０の端面上の接点とが当接して電気的に接続される。
【００３６】
このようにして、高圧基板取付ユニット２０が複写機１の本体２に取り付けられると、接点端子２２と電気機器ユニット（感光ドラムユニット４０及び現像装置７等）の接点、及び接点端子２２と高圧基板２１上の接点が同時に電気的に接続され、これにより、電気機器ユニットの接点と高圧基板２１の接点とが接点端子２２を介して電気的に接続される。
【００３７】
このように、本実施形態の高圧基板の取付構造及び高圧基板取付ユニット２０によれば、高圧基板２１と電気機器ユニットとが接点端子２２によって直接電気接続しており、高圧基板２１及び電気機器ユニットと、接点端子２２との接続も確実に行われるため、高圧基板２１と電気機器ユニットの間における導通不良発生が低減される。また、高圧基板２１及び接点端子２２は基板取付部材２３によって覆われた状態で複写機本体２に取り付けられ、更に、高圧基板２１と電気機器ユニットとの間に基板取り付け部材２３及び複写機本体２の両方が介在することから、高圧基板２１が発生する電磁波による電気機器ユニットへの悪影響が効果的に低減される。これにより、高圧基板取付ユニット２０を電気機器ユニットに隣接させて配置することが可能になるので、高圧基板２１から電気機器ユニットに高電圧を供給する構成を小さなスペースで実現することができる。さらに、電線等を用いることなく接点端子２２によって高圧基板２１と電気機器ユニットとを直接電気接続することができるので、従来の高圧基板の取り付けのように電線から発生する電磁波によって周辺機器に悪影響が及ぼされるということもない。
【００３８】
なお、本発明は上記実施の形態の構成に限られず種々の変形が可能である。例えば、上記実施の形態では、基板取付部材２３の位置決めボス２３２に高圧基板２１の位置決め穴２１２を嵌入させることによって、基板取付部材２３に高圧基板２１を位置決めする構成とされているが、基板取付部材２３及び高圧基板２１は、これら位置決めボス２３２及び位置決め穴２１２を有しない構成であってもよい。また、上記実施形態では、基板取付部材２３にアース保持部２３５が設けられた構成となっているが、基板取付部材２３は当該アース保持部２３５が設けられていないものであってもよい。また、上記実施形態では、接点端子２２を押しバネ２４と共に接点端子案内部２３１に取り付けることによって、高圧基板２１及び電気機器ユニットと接点端子２２とが接触圧をもって接触するように構成されているが、この押しバネ２４が取り付けられず、上記接触圧を有しない構成であっても構わない。
【００３９】
【発明の効果】
以上のように本発明によれば、高圧基板と電気機器ユニットとが接点端子によって直接電気接続されているので、高圧基板と電気機器ユニットの間における導通不良発生が低減される。また、高圧基板及び接点端子は基板取付部材によって覆われた状態で画像形成装置本体に取り付けられ、電気機器ユニットに電気接続されるので、高圧基板が発生する電磁波による周辺機器への悪影響が低減される。このため、基板取付部材に保持された高圧基板を電気機器ユニットに隣接させて配置することが可能になるので、高圧基板から電気機器ユニットに高電圧を供給する構成を小さなスペースで実現することができる。さらには、電線を用いなくても接点端子によって高圧基板と電気機器ユニットとを直接電気接続することができるので、電気機器ユニットに高圧基板を接続するために要する部材点数を削減することができると共に、従来のように電線から発生する電磁波によって周辺機器に悪影響が及ぼされるという問題もなくなる。また、高圧基板と電気機器ユニットとの間には、基板取り付け部材及び画像形成装置本体の両方が介在することから、高圧基板が発生する電磁波による電気機器ユニットへの悪影響が効果的に低減される。
【００４０】
また、基板取付部材に設けられたアース保持部にアース部材が保持され、基板取付部材に高圧基板が保持された状態でアース部材と高圧基板とが接触し、基板取付部材からアース部材が露出する構成とした場合は、基板取付部材から露出したアース部材を画像形成装置本体に設けられているアース線等に接続するようにすれば、高圧基板を画像形成装置本体に取り付けた状態でも簡単に高圧基板を接地させることができる。
【００４１】
また、基板取付部材に、接点端子の動きを案内する所定長さ形状の接点端子案内部を設け、この接点端子案内部に、接点端子を高圧基板と反対方向に付勢する付勢部材を接点端子と共に取り付けるようにすれば、接触圧を持たせた状態で接点端子を電気機器ユニットに接続させることができ、電気機器ユニットと接点端子の接続状態を安定させることができる。また、基板取付部材の接点端子案内部に接点端子が取り付けられるため、高圧基板と接点端子とを精度良く位置決めすることが可能になり、高圧基板と接点端子との接触不良による導通不良を低減することができる。
【００４２】
また、基板取付部材に、高圧基板に設けられた位置決め穴に対応する係合部を設け、当該係合部に高圧基板の位置決め穴を係合することによって、基板取付部材に対して高圧基板が位置決めされているようにすれば、高圧基板と基板取付部材との位置決めを簡単に行うことができる。
【図面の簡単な説明】
【図１】  本発明に係る高圧基板の取付構造及び高圧基板取付ユニットが適用される画像形成装置の概略構成を示す模式図である。
【図２】  高圧基板取付ユニットの分解斜視図である。
【図３】  高圧基板取付ユニットの分解斜視図である。
【図４】  高圧基板取付ユニットの斜視図である。
【図５】  高圧基板取付ユニットと電気機器ユニットとの関係を示す斜視図である。
【図６】  高圧基板取付ユニットと電気機器ユニットとの間に、複写機の取付枠（複写機本体の一部）が介在する状態を示す斜視図である。
【符号の説明】
１      複写機
２      複写機本体
３      帯電装置
４      感光体ドラム
６      露光装置
７      現像装置
１１    転写ローラ
１２    定着装置
２０    高圧基板取付ユニット
２１    高圧基板
２２    接点端子
２２ａ  接点端子端部
２３    基板取付部材
２３ａ  基板取付部材の側面部
２４    押しバネ（付勢手段）
２５    アース部材
２１１  接点
２１２  位置決め穴
２１３  ビス穴
２２１  突出部
２３１  接点端子案内部
２３２  位置決めボス（係合部）
２３３  基板保持部
２３５  アース保持部
【図１】
0004077299.tif 000002
【図２】
0004077299.tif 000003
【図３】
0004077299.tif 000004
【図４】
0004077299.tif 000005
【図５】
0004077299.tif 000006
【図６】
0004077299.tif 000007